(57)【要約】      （修正有）【課題】紙幣、硬貨をひとまとめにして入れられ、パスポート、スマートフォン、カード類等も共に挿入整理しながら比較的扁平な形状を保ち、他人に見られることなく中から必要な金額分を選ぶことが可能な、作り方の簡単なポーチ型財布を提供する。【解決手段】概略形状が長方形の長さが異なる同じ短辺幅の二枚以上のシートが有り、前記二枚以上のシートを重ねて長辺側の中央箇所近郊で上側へ折り曲げて、生じる四片以上で成る側辺左、右端部のそれぞれを接合して、並列する三か所以上の挿入口を上側に設けたことを特徴とする。【選択図】図１
2020081811.tif 000002
【特許請求の範囲】
【請求項１】
概略形状が長方形の長さが異なる同じ短辺幅の二枚以上のシートが有り、前記二枚以上のシートを重ねて長辺側の中央箇所近郊で上側へ折り曲げて、生じる四片以上で成る側辺左、右端部のそれぞれを接合して、並列する三か所以上の挿入口を上側に設けたことを特徴とする、ポーチ型財布。
【請求項２】
高い側の中央の二片の内郭部の上端付近に一方の留め具を設け、低い側の外郭部の前面部とする側の最外側に前記留め具に対応する残りの留め具を設け、中央の挿入口の下端箇所に任意の広さをとって重なるシートを短辺方向の二列で接合し底面部としたことを特徴とする、請求項１記載のポーチ型財布。
【請求項３】
内郭部の前、後面部の、それぞれの内側の面の縦方向での中間位置を避けた左、右部分に着脱可能に面テープを取り付けて接合し、前記内郭部か外郭部に、ベルト部、リング、ストッパー等の付属部を固定か着脱可能に接合したことを特徴とする、請求項１、２記載のポーチ型財布。
【請求項４】
長方形のシートの長辺に対し直角近くで二度折り曲げて生じる、前面部と底面部と後面部によって、側面側からの端面がｕ状を呈するカバー部を設け、前記カバー部の類似形状で、前記カバー部より蓋部分が高く突き出る本体を前記カバー部内に挿入し、生じた四片から成る側辺の左、右端部を接合して、並列する三か所の挿入口を設け、前記本体とカバー部の重なる下端箇所に任意の広さをとり、短辺方向の二列位置で接合し底面部とし、前記本体かカバー部にベルト部、リング、ストッパー等の付属部を設けたことを特徴とする、ポーチ型財布。
【請求項５】
長方形のシートの長辺側の中間辺りで任意の広さを短辺方向でとって長辺に対し直角近くに折り曲げ、内側になる二面箇所の上部に互いに着脱可能に、前記二面箇所の縦方向の左、右の中間位置を避けた左、右部分を固定か着脱可能に留め具を設たことを特徴とする、ポーチ型財布。
【発明の詳細な説明】
【技術分野】
【０００１】  紙幣、硬貨をひとまとめにして入れられ、パスポート、スマートフォン、カード類等も共に挿入整理しながら比較的扁平な形状を保ち、他人に見られることなく中から必要な金額分を選ぶことが可能な、作り方の簡単なポーチ型財布に関する。
【背景技術】
【先行技術文献】
【０００２】  財布のみで６３１件、二重を加えて５件、スマートフォン、挿入、ウエストポーチ、取り出すのワードで２件、の検索結果より以下の三件を抜粋する。
【特許文献１】特開２０００−４９１６
【特許文献２】特開２０１４−７９５３９
【特許文献３】特開２０１１−２３４９４４  文献１については、従来のがま口タイプの財布の前後面部を二重にして設け、金銭に加えカードを収納するのを目的としている。留め具で留められる中側の挿入口は、外側の前後面に付属する留め具によって内側に埋没する形状の発明である。
文献２については、レジ袋の重さを半減する目的の発明である。
文献３については、分離した二箇所の収納体を纏めて、腰にぶら下げるための仕様とその留め具に関わる発明である。
【０００３】
【発明の概要】
【発明が解決しようとする課題】
【０００４】  そのために次のような問題点があった。
○従来の財布は硬貨と紙幣を別々に入れるしかない構造であった。
・従来の財布では風袋そのものが、重くてかさばっていた。
・支払い時、目隠しがなく財布の中味が他人に丸見えだった。
・従来の財布は独立した個体として存在し、目立って危険だった。
○従来の財布にはスマートフォンを挿入できない構造だった。
・財布やスマートフォンを同時に持ち運ぶのはやりにくかった。
・スマートフォンが鳴っている間に探せず、バッグからの取り出しが間に合わないこと    があった。
○戸外作業では、大きなバッグを持ち運べなかった。
・郊外、現場などでの作業では、貴重品の置き場所に困っていた。
・空間部の広い肩掛けポーチ類を背負って作業するのはやりにくかった。
・大きい袋体は邪魔なので体から離すことがあり、盗まれやすかった。
・建物内を動きまわる職業では、衣服に大きいポケットがない限り、スマートフォンの    ための入れ場所がなくて困っていた。
【発明を解決するための手段】
【０００５】  概略形状が長方形の長さが異なる同じ短辺幅の二枚以上のシートが有り、前記二枚以上のシートを重ねて長辺側の中央箇所近郊で上側へ折り曲げて、生じる四片以上で成る側辺左、右端部のそれぞれを接合して、並列する三か所以上の挿入口を上側に設けたことを特徴とする。
【発明の効果】
【０００６】  イ）蓋部が袋箇所につながり袋箇所内部が広くなるので、蓋部は目隠しになり、他人に      は中を見られないで紙幣や硬貨が取り出せるようになった。
ロ）紙幣と硬貨が同じ空間内にあるので、両方が一度によく見え探し易くなった。
ハ）財布が嵩張らなくなり、軽くなった。
二）スマートホンが簡単に取り出せるようになった。
ホ）腰につけても嵩張らず邪魔にならず作業ができるようになった。
ヘ）金銭、鍵、定期、カード程度の貴重品は、常に身軽に邪魔にならず持ち歩きが出来      るようになった。
ト）財布が盗まれなくなった。
チ）何層かで成るポーチ類が簡単に作れるようにようになった。
リ）内容物によって風袋が形づくられる、無駄な空間を含まないポーチが出来た。
ヌ）底面部が何重かで成り、底をわざわざ補強しなくても丈夫な作りになった。
ル）底面部の底側に芯を設け易くなった。
【図面の簡単な説明】
【０００７】
【図１】  断面図と斜視図である。
【図２】  斜視図、正面図、後面図である。
【図３】  正面図と斜視図である。
【図４】  正面図と後面図と補助材の図である。
【図５】  透明図、断面図、端面図である。
【発明を実施するための形態】
【実施例１】
【０００８】  以下、本発明の実施の形態を説明する。
概略形状が長方形の同じ幅で長さの異なる二枚以上のシートを使用するが、まず、二枚から説明をする。
シートを折り曲げた状態を片と称し、各片の方向を水平面に対して垂直とするが、成型後には他箇所の関係で直角に近い鋭角に変わる。
短い辺が上側にある形態も考えられるが、シートの一番上が最長で、上から下へ短くなって重なる場合から説明する。この場合は、長いシートと内郭部と本体、短いシートと外郭部とカバー部を同義語とし、取って部とベルト部は携え方の違いの程度なので、類似語とする。
裏地の有無に関わらず作図は一枚とする。厚みを省略してシートの断面を一本線で表す場合もある。縫い代を省略することもある。
断面の斜線を省くこともある。図４ｃのイの斜線は重なる図との区別を明快にする目的としたものである。【０００９】  図１ａは、長いシート（１、内郭部用）を短いシート（２、外郭部用）の上に重ねようとする図である。
ｂは二枚のシートを、中央箇所（５）で折り曲げた端面図である。中央挿入口（３）とその他の挿入口（４）が出来かけている。
ｃは斜視図で、中央に二枚の高い片（６）と、外側の両側に低い片が有り、内郭部の側辺（７）と、外郭部の側辺（８）と、底面部（９）が生じている。
図２ａは斜視図で、底面部辺りを透明で表す。中央挿入口を形作る二片の上端部を凸状のラインで設け、外郭部の高さを越えた箇所を蓋部（１０）として成型する。凸状の最上位置は中央箇所とは限らない。
前、後面部（１１、１２）の左、右両端の縫い代を、外側に残すか内側に入れるかのとちらかの方法で接合する。外側に残せば、バイアステープを用いて縫い代を纏めることになる。シートの長辺側の中間で任意の広さを間に短辺方向の二列で接合して底面部を設ける。左、右に側面部（１３）が表れる。下端の幅より、上方に向けて次第に狭くなるように側面部に折り曲げ癖をつける。必要なら二枚重ねで成る底面部の間に芯（１４）を入れる。
ｂは蓋部の上端に一方の留め具を設けた正面図である。外郭部の前面部の上端を凹状ラインとし前面ポケット（１６）を設け、凹状ラインの最下位置の下に対応する留め具（１５）を設ける。
ｃは外郭部の後面部側の片の上端を内側に折り曲げる、バイアステープでくるむなどして始末し、後面ポケット（１７）を設ける。【００１０】  図３は、二枚の片（６）の高さ位置と形状に違いを設け、面テープ（１９）で二片を着脱可能に繋ぐ場合である。
ａでは、面テープを付ける位置として、内郭部の二片の後面側の内側（２０）と前面側の内側（２１）を示し、それぞれに二個ずつをハの字状に左右に離して互いに対応する位置に設けて、めくりかけた図である。面テープは上端位置と中間を避けて設ける。
ｂは、内郭部の二枚の片を合わせた正面図で、前面側の中間位置上端側を手先が入り易いように凹みカーブ（２２）にし、全体的に僅かに後面側より低くした。
ｃは凹みカーブ辺りを拡大した、使用中の斜視図である。
図４で、ベルト（２３）の取り付け方とその他の補助材の説明をする。
ａはバッグ型でベルトを取って部とした場合で、端部の任意の位置にリング（２４）を設けるが、蓋部の折り曲げ箇所辺りで、内側でも外側に提出でも出ても良い。
ｂはベルトを後面部の横方向に取りつけたウエストポーチ型の場合である。左、右にリングを設けた。ベルトを二つに分離しそれぞれリングに繋ぐ作り方にした場合、ベルトは後面部に添わない。その他のベルトの付け方として斜め方向も考えられる。この場合は肩にかけて使用できるように左右対称ではなく、傾けて設ける。
ｃでは、アで内郭部（１）の内側全体の形状と紙幣ストッパー（２５）の取り付け位置を示す。紙幣ストッパーの取り付け方は、内郭部の後面部側の内側に他の片と同時に左、右端を接合するか、予め側面部箇所手前辺りに接合しておく。イで外郭部（２）内側全体と補助シート（２６）とを便宜的に重ねて示す。補助シートは補強や汚れの交換用等の目的で設けるが、粘着テープを補助シートの裏側の上端箇所や底面部辺りに取り付けておく。【００１１】  図５を説明する。
ａは、前面部下端位置を透明にした図で、中央挿入口（３）内部の、紙幣や硬貨（２７）が入る場所を示した。
ｂは中央挿入口を開けた時の中間位置辺りの端面図である。
ｃはシートが三枚か四枚の場合の底面部（９）辺りを拡大した端面図である。アは二枚のシートを裏地（３１）と表地（３２）でワンセットとした場合である。このセットを先に作っておいてから重ねて作るよりは、先に四枚重ねにして一度に接合する方が、作り方が簡略化出来る。イの場合はこれまで説明してきた二枚のシートに、三枚目のシート（３３）を加えた、中側が次第に低くなる形状での端面図である。この場合は両端の高い片側が蓋部になる。【００１２】  ウエストポーチ型の場合について、使い方を説明をする。
図１ｂ、図２ａでの中央挿入口（３）に、紙幣や硬貨（２７）を一緒に入れる。（図５ａ、図５ｂ参照）。図３ｃのように、取り出す時は、指先を湾状の凹みカーブ（２２）より挿入して、中央挿入口を開く。
ファスナーやその他の留め具でもかまわないが、面テープ（１９）の場合は片手の指先で外すことが出来るメリットがある。外せば外郭部の高さ位置まで挿入口は大きく広げられる。差し込んだ同じ手先でそのまま金銭を選ぶ。蓋部の高さを加えるので底面部までが深くなり、人の目を気にしないで取り出すことになる。
図４ａのリング（２４）を設けた場合は、穴に鍵類（３０）にとりつけた鎖や紐を結ぶなり、かける等の方法で外れないように絡ませておく。鍵や定期に取り付けた鎖や紐の長さを十分にとっておけば家の鍵穴まで届いて体から取り外すことなく使用出来る。リングを設けない場合はベルト（２３）に直接結びつける。リングにベルトを通している場合は共有する。
図４ｃアの紙幣ストッパー（２５）は、紙幣と硬貨を共に挿入する時、硬貨をすぐに手から離しながら、紙幣ストッパーと傍の後面部間に、揃えた紙幣を挿入する。紙幣ストッパーがなければ紙幣と硬貨を同時に離して入れる。イの補助シート（２６）については、汚れたり傷んだ後で、新しい補助シートと交換する。【００１３】  図５ａでは外郭部を取り外した中央挿入口（３）内の透明表示で、使用状態を示した。紙幣ストッパー（２５）より奥に紙幣があり、手前に硬貨がある。
ｂの横断端面図のように、前面ポケット（１６）に、凹状ラインの最下位置で蓋部の前面部側と接合する区分け線（２９）を設けた場合には、二つに分かれた前面ポケットに、家の鍵や車の鍵、糸や針、カード類、薬類等を小分けにして入れる。
取り出す時は蓋部（１０）の端を持ち上げれば留め具（１５）が外れ、前面ポケットの挿入口（４）が現れる。後面ポケット（１７）には、スマートフォン（２８）を腹側に密着して入れる。取り出す時は蓋等がないのでそのまま指先をスマートフォンに添えて取り出す。スマートフォン自体と腹部の圧力がストッパーとなる。パスポートは紙幣ストッパーが有れば紙幣ストッパー内に挟む。
図５ｃイの中側へ向かい次第に低くなる形状の場合は、一番高い片を蓋部とすることになるが、一つの大きな挿入口から全ての挿入物が見え、支払いをする時、紙幣や硬貨やカードやクーポン券を挿入物全てから選んで取り出すことになる。その他の機能や効果はアと類似する。
面テープで合わせて内郭部を閉じ、蓋部と後面ポケットの上端の直上を折り曲げて留め具で留めて使用する。
ティシュ入れにしたい場合は、その他の挿入口の上端を接合して閉じ、中間に横向きの挿入口を設ける。
ベルトは紙幣ストッパーを延長するような方法で取り付け、本体の中を横向きに通して重さのバランスをとる方法も有る。
【符号の説明】
【００１４】  １    長いシート          ２    短いシート          ３    中央挿入口
４    その他の挿入口      ５    中央箇所            ６    片
７    内郭部の側辺        ８    外郭部の側辺        ９    底面部
１０  蓋部                １１  前面部              １２  後面部
１３  側面部              １４  芯                  １５  留め具
１６  前面ポケット        １７  後面ポケット        １８  ファスナー
１９  面テープ            ２０  後面側の内側        ２１  前面側の内側
２２  凹みカーブ          ２３  ベルト              ２４  リング
２５  紙幣ストッパー      ２６  補助シート          ２７  紙幣や硬貨
２８  スマートフォン      ２９  区分け線            ３０  鍵類
３１  裏地                ３２  表地                ３３  三枚目のシート
【図１】
2020081811.tif 000003
【図２】
2020081811.tif 000004
【図３】
2020081811.tif 000005
【図４】
2020081811.tif 000006
【図５】
2020081811.tif 000007
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
概略形状が長方形の同じ短辺幅の二枚以上や二重以上のシートが有り、前記シートを重ねて長辺側での中央箇所近郊で短辺方向の谷折で、立体状に向かい合う前面部と後面部の側辺端部の同じ長さ分を接合して側面部とし、前記側面部箇所に端部を有する三か所以上の挿入口を設けたことを特徴とする、ポーチ型財布。
【請求項２】
長さの異なる二枚のシートが有り、前記二枚のシートの長い側を内郭部材とし短い側を外郭部材とし、前記内郭部材の長辺方向の両端部それぞれの形状は中央が凹んだ波状と凸状を呈し、前記波状箇所での凹みの最下位置より高い位置を示す前記凸状箇所の内側に留め具を設け、前記外郭部材の長辺方向の両端部それぞれの形状は凹状と直線状を呈し、前記凹状箇所の内側に前記留め具に対応する残りの留め具を設け、前記内郭部材と外郭部材を内郭部材を上側にして重ねて折り曲げ、長辺側での中央箇所近郊で短辺方向で任意の広さを取って、直角方向で二度谷折りにして設けた二箇所の折り目間を底面部とし、前記外郭部の前面部と後面部の上端が前記内郭部の上端より低い位置に在ることを特徴とする、請求項１記載のポーチ型財布。
【請求項３】
内郭部と外郭部の、波状の端部の下側に凹状の端部が、凸状の端部の下側に直線状の端部が来るように重ね、立体状に向かい合った前記内郭部の前面部と後面部のそれぞれの面の中間位置を避けた左、右箇所に、前記前面部と後面部で対応し合う接合材を設けて接合して蓋部とし、前記内郭部か外郭部にベルト、取って部、リング、ストッパー等の付属部を一つ以上設けたことを特徴とする、請求項１、２記載のポーチ型財布。
【請求項４】
概略形状が長方形の補助シートの裏面とする側の両端に接合材を設け、前記接合材は前記補助シートを縦片か横片の中央辺りで短辺方向で折り曲げた時外側にあり、別具に対して着脱可能であることを特徴とする、ポーチ型財布。
【手続補正２】
【補正対象書類名】明細書
【補正対象項目名】０００５
【補正方法】変更
【補正の内容】
【０００５】  概略形状が長方形の同じ短辺幅の二枚以上や二重以上のシートが有り、前記シートを重ねて長辺側での中央箇所近郊で短辺方向の谷折りで、立体状に向かい合う前面部と後面部の側辺端部の同じ長さ分を接合して側面部とし、前記側面部箇所に端部を有する三か所以上の挿入口を設けたことを特徴とする。
【手続補正３】
【補正対象書類名】明細書
【補正対象項目名】００１３
【補正方法】変更
【補正の内容】
【００１３】  図５ａでは外郭部を取り外した中央挿入口（３）内の透明表示で、使用状態を示した。紙幣ストッパー（２５）より奥に紙幣があり、手前に硬貨がある。
ｂの横断端面図のように、前面ポケット（１６）に、側面部の高さ位置より低い位置から凹状ラインの最下位置で区分け線（２９）箇所で内郭部の前面部と接合した場合は、前面ポケットへの蓋機能を強化することに繋がり、複数になった前面ポケットに、家の鍵や車の鍵、糸や針、カード類、薬類等を小分けにし独立させて入れることが出来る。
取り出す時は蓋部（１０）の先端を持ち上げれば留め具（１５）が外れ、前面ポケットの挿入口（４）の全てが現れる。
ｃのアはこれまで説明した形態である。イの片の高さが中側へ向かい次第に低くなる場合は、外郭部を蓋部とすることになる。一つの大きな挿入口から使用者は支払いをする時、紙幣や硬貨やカードやクーポン券を挿入物全てから選んで取り出すことになる。その他の機能や効果は高い外郭部により目隠しされた中で金銭を取り出せる等の、アの場合と類似する。
尚、図４ｂのようなウエストポーチ型の場合、ベルトで腰に密着して着用しているため、後面ポケット（１７）の挿入口は隠れてしまうが、位置は明確なのでスマートフォン（２８）を腹側の挿入口より押し込む。音が鳴ったり、振動が腹部に伝わったりして着信に気づくと、蓋等がないのでその状態のままで指先をスマートフォンに添えて取り出す。スマートフォン自体の厚みと挿入したために生じる腹圧がストッパーとなり蓋替わりをする。
パスポートならば中央の挿入口内に入れる。
面テープ（１９）で合わせて前、後面部を閉じた時、内郭部が蓋部となり後面ポケットの上端の直上を山折りに曲げて留め具で留め合わせて、全体を閉じる。内郭部の前、後面部の内側の面テープは、蓋部の補助機能を有する。
底面部については、左、右の折り目箇所で外郭部と内郭部を縫合しない場合もあり、そのメリットは、前、後面部で一つの空間を共有することになり、前、後の挿入物で使用する広さを加減できることにある。
大きなシートでの側辺箇所を折り曲げた後に長方形を示すシートの場合や、先に筒状に作られたような二重のシートでは、縫合の際に、一枚ずつに離れないことで、縫合が簡略化できるメリットがある。左、右側面部にマチ部を設ければ、空間はより広がる。
また、端部形状のみ異なる、類似形状の内郭部と外郭部を別々に形成して、重ねて作成する方法もある。
留め具については、内郭部と外郭部が合体した時、波状箇所での凹みと最も高い位置を示す凸状箇所の間のはまり込み易く留め易くした場所に設け、また対応する残りの留め具を最も外側の凹状箇所の内側の、邪魔にならない留め易くした場所に設ける。
【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
概略形状が長方形の同じ短辺幅の二枚以上や二重以上のシートが有り、前記シートを重ねて長辺側での中央箇所近郊で短辺方向の谷折で、立体状に向かい合う前面部と後面部の側辺端部の同じ長さ分を接合して側面部とし、前記側面部箇所に端部を有する三か所以上の挿入口を設けたことを特徴とする、ポーチ型財布。
【請求項２】
長さの異なる二枚のシートが有り、前記二枚のシートの長い側を内郭部材とし短い側を外郭部材とし、前記内郭部材の長辺方向の両端部それぞれの形状は中央が凹んだ波状と凸状を呈し、前記波状箇所での凹みの最下位置より高い位置を示す前記凸状箇所の内側に留め具を設け、前記外郭部材の長辺方向の両端部それぞれの形状は凹状と直線状を呈し、前記凹状箇所の内側に前記留め具に対応する残りの留め具を設け、前記内郭部材と外郭部材を、内郭部材を上側にして重ねて折り曲げ、長辺側での中央箇所近郊で短辺方向で任意の広さを取って、直角方向で二度谷折りにして設けた二箇所の折り目間を底面部とし、前記外郭部の前面部と後面部の上端が前記内郭部の上端より低い位置に在ることを特徴とする、請求項１記載のポーチ型財布。
【請求項３】
内郭部と外郭部を、波状の端部の下側に凹状の端部が、凸状の端部の下側に直線状の端部が来るように重ね、立体状に向かい合った前記内郭部の前面部と後面部のそれぞれの面の中間位置を避けた左、右箇所に、前記前面部と後面部で対応し合う接合材を設けて接合して蓋部とし、前記内郭部か外郭部にベルト、取って部、リング、ストッパー等の付属部を一つ以上設けたことを特徴とする、請求項１、２記載のポーチ型財布。
【請求項４】
左側が凸状で右側が前記凸状より低い位置の直線状を呈する側を上端側とし、左側が上方に向け中央が凹んだ波状で右側が前記波状の凹みより短い凹状を呈する側を下端側とし、且つ二側辺が平行を呈する多角形が有り、前記の上端側、下端側の変わり目は左右向きの中間位置にあり、前記中間位置で縦向きに谷折りに曲げた時、上側に凸状と直線状が上下に、下側に凹状と波状が上下に並び、次に、側辺の上下の中間位置で山折りに折り曲げて、左右両端を接合して三か所以上の挿入口を設けたことを特徴とする、ポーチ型財布。
【請求項５】
概略形状が長方形の補助シートの裏面とする側の両端に接合材を設け、前記接合材は前記補助シートを縦片か横片の中央辺りで短辺方向で折り曲げた時外側にあり、別具に対して着脱可能であることを特徴とする、ポーチ型財布。
【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
概略形状が長方形の同じ短辺幅の二枚以上や二重以上のシートが有り、前記シートを幅を揃えて重ね長辺側での中央箇所近郊で短辺方向の谷折りで生じた立体状に向かい合う前面部と後面部の側辺端部の同じ高さ分を接合して側面部とし、前記側面部に端部を有する三か所以上の挿入口と複数枚のシートの底面部を設けたことを特徴とする、ポーチ型財布。
【請求項２】
長さの異なる二枚のシートが有り、前記二枚のシートの長い側を内郭部材とし短い側を外郭部材とし、前記内郭部材と外郭部材を内郭部材を上側にして重ねて、長辺側での中央箇所近郊で短辺方向で任意の広さを取って、直角方向で二度谷折りにして設けた二箇所の折り目間を二重で成る底面部とし、前記内郭部材の長辺方向の両端部の形状は中央が凹んだ波状と凸状を呈し、前記波状位置より高い位置を示す前記凸状箇所の内側に留め具を設け、前記外郭部材の長辺方向の両端部の形状は凹状と直線状を呈し、前記凹状の内側に前記留め具に対応する留め具を設け、前記外郭部の前面部と後面部の上端が前記内郭部の上端より低い位置に在ることを特徴とする、請求項１記載のポーチ型財布。
【請求項３】
内郭部と外郭部を、前側では波状の下側に凹状が、後ろ側では凸状の下側に直線状が来るようにして側面側をｕの字状に重ね、立体状に向かい合う前記内郭部の前面部と後面部のそれぞれの面の中間位置を避けた左、右箇所に、対応し合う着脱可能な接合材を設け蓋部とし、ベルト部は前記直線状箇所に平行に且つ下側に後面部から底面部と同幅の側面部内部まで接合し、前記ベルト部の両端部は接合位置から後ろ方向に裏返した形で繋ぐ繋ぎ具を有し、その他の固定具を備えたことを特徴とする、請求項１、２記載のポーチ型財布。
【請求項４】
上辺は左側が凸状で右側が前記凸状より低い位置の直線状を呈し、下辺は左側が中央が凹んだ波状で右側が前記波状の凹みより深い凹状を呈し、且つ左、右の二側辺が平行な一枚の多角形のシートが有り、前記上辺側と下辺側の変わり目は左右向きの中間位置にあり、前記中間位置で縦向きに谷折りに曲げた時、上側に凸状と直線状を上下に、下側に凹状と波状を上下に並べ、次に、上下間の中間位置で山折りに折り曲げて、左右両端を接合して三か所以上の挿入口を設けたことを特徴とする、ポーチ型財布。
【請求項５】
概略形状が長方形の補助シートの裏面とする側の両端に接合材を設け、前記接合材は前記補助シートを縦辺か横辺の中央辺りで短辺方向で山折りに曲げた時外側にあり、別具に対して着脱可能であることを特徴とする、ポーチ型財布。
【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
略長方形の底面部の相対する二辺側の両端部から、前記二辺の間の内部上より、重ねるか並列で略平行に立ち上がる四箇所以上の前、後面部用のシート材を有し、前記シート材の側辺部を接合して、前記底面部上に三か所以上の半空間を有することを特徴とする、ポーチ型財布。
【請求項２】
同じ幅で長辺側の長さの異なる帯状のシート材の側辺部の同じ高さ分を接合した付近を側面部とし、前記側面部と前、後面部で、或いは前記側面部と前、後面部と底面部で成るシート材に囲まれた三か所以上の半空間を有することを特徴とする、請求項１記載のポーチ型財布。
【請求項３】
帯状のシート材の、短い側の外郭部材の上に長い側の内郭部材を重ねて、長辺方向での中央箇所近郊で任意の広さを取り底面部とし、前記底面部両端箇所を略直角状に二度谷折りにして二重のＵ状とし、前記内郭部材の前記長辺方向での両端部の形状は台形ないしは中側が低い波状曲線と凸状を呈し、前記凸状箇所の内側面内部に留め具を設け、前記外郭部材の前記長辺方向の両端部の形状は凹状と直線状を呈し、前記凹状の外側面内部に前記留め具に対応する留め具を設け、前記外郭部の前面部と後面部の上端が前記内郭部の上端より低い位置に在ることを特徴とする、請求項１、２記載のポーチ型財布。
【請求項４】
立体状に向かい合う内郭部の前面部と後面部のそれぞれの面の中間位置を避けた左、右箇所に、対応し合う着脱可能な接合材を設け、前記接合材付近を含め上側を蓋部とし、ベルト部は直線状箇所に平行に且つ後面部からの側面部端部又は内部位置まで接合し、前記ベルト部は接合位置から後ろ方向に裏返した形で繋ぐことが可能な繋ぎ具を有し、その他の固定具を備えたことを特徴とする、請求項１、２、３記載のポーチ型財布。
【請求項５】
上辺は左側が凸状で右側が前記凸状より低い位置の直線状を呈し、下辺は左側が台形ないしは中側が低い波状曲線で右側が前記中側が低い波状曲線の凹みより深い凹状を呈し、且つ左、右の二側辺が平行な一枚の多角形のシート材が有り、前記上辺ライン側と下辺ライン側の変わり目はそれぞれ左右向きの中間位置にあり、前記中間位置で縦向きに谷折りに曲げた時、上側に凸状と直線状を上下に、下側に凹状と中側が低い波状曲線を上下に並べ、次に、上下間の中間位置で底面部を設け山折りに折り曲げて、左、右端部の一方以上を接合して三か所以上の半空間を設けたことを特徴とする、ポーチ型財布。